(57)【要約】【課題】  変流器の試験および実負荷試験をする際に相を変える場合でも試験配線の変更を不要にすることができる電流切替開閉器を提供する。【解決手段】  電力系統からの各相の試験電流を取り出す各変流器と、変流器を試験するために試験電流を測定する電流測定器との間を接続する電流切替開閉器であって、変流器の２次側がそれぞれ接続される赤端子および±端子と、白端子および±端子と、青端子および±端子と、黒端子および±端子とで構成される第１の接続部を備え、電流測定器が接続される端子およびＭ端子で構成される第２の接続部を備える。さらに、第１の接続部に接続されている変流器の２次側がそれぞれ接続され、各変流器の２次側から１つを選択して第２の接続部に接続すると共に残りの変流器の２次側を短絡し、かつ、第２の接続部に対する接続を切り替えるとき、接続の切替途中で第１の接続部の各２次側を短絡した状態にするカムスイッチ１２を備える。【選択図】  図２
2007232599.tif 000002
【特許請求の範囲】
【請求項１】
電力系統からの各相の試験電流を取り出す各変流器と、前記変流器を試験するために前記試験電流を測定する電流測定器との間を接続する電流切替開閉器であって、
前記変流器の２次側がそれぞれ接続される第１の接続部と、
前記電流測定器が接続される第２の接続部と、
前記第１の接続部に接続されている前記変流器の２次側がそれぞれ接続され、前記各変流器の２次側から１つを選択して前記第２の接続部に接続すると共に残りの前記変流器の２次側を短絡し、かつ、前記第２の接続部に対する接続を切り替えるとき、接続の切替途中で前記第１の接続部の各２次側を短絡した状態にする電流切替手段と、
を備えることを特徴とする電流切替開閉器。
【請求項２】
前記第１の接続部と前記電流切替手段との間に介在する各補助変流器と、
前記各補助変流器を前記第２の接続部に接続するかどうかを切り替える開閉手段と、
を備えることを特徴とする請求項１に記載の電流切替開閉器。
【請求項３】
各相が３相交流のＲ相、Ｓ相、Ｔ相と、中性相のＮ相とである場合、前記補助変流器は前記Ｒ相、Ｓ相、およびＴ相に対応して介在することを特徴とする請求項２に記載の電流切替開閉器。
【発明の詳細な説明】
【技術分野】
【０００１】
この発明は、変流器を試験する際に用いられる電流切替開閉器および変流器２次側の電流測定（以下、「実負荷試験」という）する際に用いられる電流切替開閉器に関する。
【背景技術】
【０００２】
変流器は電力を搬送する電力系統に設置され、変流器からの二次電流からこの電力系統の異常をリレー盤が検出する。この変流器の試験は次のように行われる。図１１に示すように、電力系統の送電線１０１〜１０３には変流器（ＣＴ）１１１〜１１３が設置されている。変流器１１１〜１１３の試験に際して、変流器１１１〜１１３の二次側試験用端子（ＣＴＴ）１２１に電流プラグ１２２を取り付ける。送電線１０１〜１０３の異常を検出するリレー盤１３１は、二次側試験用端子１２１を経て変流器１１１〜１１３からの検出電流を受け取る（例えば、特許文献１参照）。
【０００３】
二次側試験用端子１２１に電流プラグ１２２を取り付けた後、電流プラグ１２２に対して試験配線を行う。つまり、３相交流のＲ相（赤相）、Ｓ相（白相）、Ｔ相（青相）、Ｎ相（黒相）の１つにメータ１３２を接続して、メータ１３２に流れる電流から変流器１１１〜１１３を試験する。図１１では、Ｒ相にメータ１３２を接続して変流器１１１を試験する。
【特許文献１】特開２００１−２３１１５３
【発明の開示】
【発明が解決しようとする課題】
【０００４】
ところで、先に説明した変流器の試験および実負荷試験には次の課題がある。例えば図１１に示すように、赤相を測定した後で白相を測定する場合、電流プラグ１２２の赤相を短絡した後、白相試験のための試験配線をする必要がある。つまり、試験する相を変更する毎に試験配線を変更しなければならないという課題がある。また、試験配線の際に、試験していない相の電流プラグ１２２の端子を開放すると、端子には高電圧が発生するので、感電防止や装置破損防止等のために端子間を短絡しなければならないという課題もある。さらに、電流プラグ１２２には３相交流接続用に８つの端子が取り付けられているので、試験配線の変更の際には誤配線が発生する可能性もある。
【０００５】
この発明の目的は、前記の課題を解決し、変流器の試験および実負荷試験をする際に相を変える場合でも試験配線の変更を不要にすることができる電流切替開閉器を提供することにある。
【課題を解決するための手段】
【０００６】
前記の課題を解決するために、請求項１の発明は、電力系統からの各相の試験電流を取り出す各変流器と、前記変流器を試験するために前記試験電流を測定する電流測定器との間を接続する電流切替開閉器であって、前記変流器の２次側がそれぞれ接続される第１の接続部と、前記電流測定器が接続される第２の接続部と、前記第１の接続部に接続されている前記変流器の２次側がそれぞれ接続され、前記各変流器の２次側から１つを選択して前記第２の接続部に接続すると共に残りの前記変流器の２次側を短絡し、かつ、前記第２の接続部に対する接続を切り替えるとき、接続の切替途中で前記第１の接続部の各２次側を短絡した状態にする電流切替手段とを備えることを特徴とする電流切替開閉器である。
【０００７】
請求項１の発明では、電力系統の各相から試験電流を取り出すための変流器の２次側を第１の接続部に接続し、また、電流測定器を第２の接続部に接続した後、作業者が電流切替手段を操作して各変流器の２次側から１つを選択する。これにより、電流切替手段は、選択された２次側を第２の接続部に接続すると共に、残りの２次側を短絡する。かつ、第２の接続部に対する２次側の接続を切り替えるとき、接続の切替途中で第１の接続部の各２次側を短絡した状態にする。
【０００８】
請求項２の発明は、請求項１に記載の電流切替開閉器において、前記第１の接続部と前記電流切替手段との間に介在する各補助変流器と、前記各補助変流器を前記第２の接続部に接続するかどうかを切り替える開閉手段とを備えることを特徴とする。
【０００９】
請求項３の発明は、請求項２に記載の電流切替開閉器において、各相が３相交流のＲ相、Ｓ相、Ｔ相と、中性相のＮ相とである場合、前記補助変流器は前記Ｒ相、Ｓ相、およびＴ相に対応して介在することを特徴とする。
【発明の効果】
【００１０】
請求項１の発明により、変流器の試験および実負荷試験をする場合に測定する相を変えるときには、電流切替手段を操作するだけで、各相に対応する変流器の２次側から１つを選択して電流測定器に接続すると共に、残りの相に対応する変流器の２次側を短絡することができるので、変流器の試験のための作業効率を大幅に上げることができる。また、電流切替手段を操作するだけで変流器の２次側を電流測定器に接続するので、従来のように試験配線の変更を不要にすることができる。さらに、第２の接続部に対する２次側の接続を切り替えるとき、接続の切替途中で第１の接続部の各２次側を短絡した状態にするので、接続の切替の際に変流器の２次側に高電圧が発生することを防ぐことができる。
【００１１】
請求項２の発明により、各変流器の２次側に補助変流器を介在させることができるので、実負荷電流の試験を安全に行うことができ、多用途の使用を可能にする。
【００１２】
請求項３の発明により、大きな電流が流れる赤相（Ｒ相）、白相（Ｓ相）、および青相（Ｔ相）に対応する変流器からの試験電流を、補助変流器を介して取り出すので、大きな試験電流が入力することを防ぐことができる。
【発明を実施するための最良の形態】
【００１３】
次に、この発明の実施の形態について、図面を用いて詳しく説明する。図１は、この実施の形態による電流切替開閉器１の使用状態を示す接続図である。なお、この実施の形態では、先に説明した図１１と同一または同一と見なされる構成要素にはそれと同じ参照符号を付けて、その説明を省略する。この実施の形態による電流切替開閉器１は電流プラグ１２２を介して二次側試験用端子１２１に接続されて用いられる。電流切替開閉器１は、図２に示すように、電流プラグ１２２を接続するための「電流入力」の「赤」、「±」、「白」、「±」、「青」、「±」、「黒」、「±」の端子と、電流測定器であるメータ１３２を接続するための「電流出力」の「±」、「Ｍ」の端子とを備えている。以下では、「赤」の端子を赤端子と記し、他の端子も同様に記す。なお、図２は、電流切替開閉器１を収納する収納箱の操作パネルを示す図である。また、この実施の形態では、「電流入力」の赤端子、±端子、白端子、±端子、青端子、±端子、黒端子、±端子が第１の接続部を形成し、「電流出力」の±端子とＭ端子とが第２の接続部を形成する。
【００１４】
また、電流切替開閉器１は、「内部ＣＴ切替」の開閉器１１と、「相切替」のカムスイッチ１２とを備え、開閉器１１は、ハンドル１１1で「不使用」、「使用」の各位置で開路または閉路を形成する。カムスイッチ１２はハンドル１２1で４５度毎に回転し、「０」、「赤」、「０」、「白」、「０」、「青」、「０」、「黒」の各位置で開路または閉路を形成する。
【００１５】
次に、開閉器１１およびカムスイッチ１２について説明する。まず、開閉器１１の構造を図３に示す。開閉器１１は、赤相用の開閉部１１Ａと、白相用の開閉部１１Ｂと、青相用の開閉部１１Ｃとを備えている。なお、図３は開閉器１１のハンドル１１1が図２の「不使用」の位置のときの開閉状態を表している。開閉部１１Ａは、「３１」、「３２」、「１１」、「１２」、「３３」、「３４」、「１３」、「１４」、「２１」、「２２」、「２３」、「２４」の接点と、補助変流器１１Ａ1とを備えている。なお、以下では、「３１」の接点を３１接点と記し、他の接点も同様に記す。開閉部１１Ａでは、３１接点と３２接点、１１接点と１２接点、３３接点と３４接点、１３接点と１４接点、２１接点と２２接点、２３接点と２４接点とが、開閉器１１のハンドル１１1により開路または閉路となる開閉部分をそれぞれ構成している。開閉部１１Ｂは、６１接点、６２接点、４１接点、４２接点、６３接点、６４接点、４３接点、４４接点、５１接点、５２接点、５３接点、５４接点と、補助変流器１１Ｂ1とを備え、６１接点と６２接点、４１接点と４２接点、６３接点と６４接点、４３接点と４４接点、５１接点と５２接点、５３接点と５４接点とがそれぞれ開閉部分を構成している。開閉部１１Ｃは、９１接点、９２接点、７１接点、７２接点、９３接点、９４接点、７３接点、７４接点、８１接点、８２接点、８３接点、８４接点と、補助変流器１１Ｃ1とを備え、９１接点と９２接点、７１接点と７２接点、９３接点と９４接点、７３接点と７４接点、８１接点と８２接点、８３接点と８４接点とがそれぞれ開閉部分を構成している。
【００１６】
開閉器１１の開閉動作は次のとおりである。開閉器１１のハンドル１１1が「不使用」の位置のとき、開閉部１１Ａでは、３１接点と３２接点とが閉じ、１１接点と１２接点とが開いている。また、３３接点と３４接点とが開き、１３接点と１４接点とが閉じている。さらに、２１接点と２２接点、２３接点と２４接点が開いている。開閉部１１Ｂおよび開閉部１１Ｃは開閉部１１Ａと接点番号が異なるだけで、各開閉部分の開閉動作は開閉部１１Ａと同じであるので説明を省略する。つまり、開閉部１１Ａの３１接点と３２接点とで構成される開閉部分が開閉部１１Ｂの６１接点と６２接点とで構成される開閉部分、および開閉部１１Ｃの９１接点と９２接点とで構成される開閉部分に相当し、開閉部１１Ａの１１接点と１２接点とで構成される開閉部分が開閉部１１Ｂの４１接点と４２接点とで構成される開閉部分、および開閉部１１Ｃの７１接点と７２接点とで構成される開閉部分に相当する。また、開閉部１１Ａの３３接点と３４接点とで構成される開閉部分が開閉部１１Ｂの６３接点と６４接点とで構成される開閉部分、および開閉部１１Ｃの９３接点と９４接点とで構成される開閉部分に相当し、開閉部１１Ａの１３接点と１４接点とで構成される開閉部分が開閉部１１Ｂの４３接点と４４接点とで構成される開閉部分、および開閉部１１Ｃの７３接点と７４接点とで構成される開閉部分に相当する。さらに、開閉部１１Ａの２１接点と２２接点とで構成される開閉部分が開閉部１１Ｂの５１接点と５２接点とで構成される開閉部分、および開閉部１１Ｃの８１接点と８２接点とで構成される開閉部分に相当し、開閉部１１Ａの２３接点と２４接点とで構成される開閉部分が開閉部１１Ｂの５３接点と５４接点とで構成される開閉部分、および開閉部１１Ｃの８３接点と８４接点とで構成される開閉部分に相当する。
【００１７】
開閉器１１のハンドル１１1が「使用」のとき、例えば図４に示すように、開閉部１１Ａでは、各接点の開閉状態は図３とは逆になる。他も同様である。図４では、補助変流器１１Ａ1が１次側１１Ａ11と２次側１１Ａ12とを備えて、後述するように、ハンドル１１1の位置に応じて、補助変流器１１Ａ1の１次側１１Ａ11および２次側１１Ａ12の接続が変更される。補助変流器１１Ａ1は次のために用いられる。実負荷試験電流の測定回路が開路になっても高電圧の抑制および回路の絶縁を目的としている。なお、変流比は、５／５［Ａ］である。補助変流器１１Ｂ1および補助変流器１１Ｃ1も同様である。なお、黒相は中性相であるので、この実施の形態では、黒相に対応する補助変流器を用いていない。
【００１８】
開閉器１１に対する接続は次のとおりである。図４の開閉部１１Ａでは、３１接点が１１接点に接続され、３３接点が１３接点に接続されている。３２接点が２２接点に接続され、１４接点が２４接点に接続されている。補助変流器１１Ｃ1の１次側は１２接点と３４接点との間に接続され、補助変流器１１Ｃ1の２次側は２１接点と２３接点との間に接続されている。開閉部１１Ｂおよび開閉部１１Ｃは開閉部１１Ａと接続関係が同様であるので説明を省略する。
【００１９】
次に、カムスイッチ１２について説明する。カムスイッチ１２の構造は図３に示すとおりである。つまり、カムスイッチ１２では、図３の紙面横方向の「０」、「赤」、「０」、「白」、「０」、「青」、「０」、「黒」がノッチの位置を表す。図３の紙面縦方向の数字「１１」、「２１」、「３１」、「４１」、「５１」、「５３」、「６１」、「６３」、「７１」、「７３」、「８１」、「８３」が入力側の端子であり、図３の紙面縦方向の数字「１２」、「２２」、「３２」、「４２」、「５２」、「５４」、「６２」、「６４」、「７２」、「７４」、「８２」、「８４」が出力側の端子である。以下では、「１１」の端子を１１端子と記し、他の端子も同様に記す。入力側の端子と出力側の端子と一対をなす端子、つまり、１１端子と１２端子、…、８３端子と８４端子はカムスイッチ１２のハンドル１２1の回転軸の回転方向に沿うように配置され、入力側の１１端子、…、８３端子、および、出力側の１２端子、…、８４端子はハンドル１１1の回転軸の軸方向に沿って配置されている。例えば１１端子と１２端子とがハンドル１１1の回転軸の回転方向に沿うように配置され、１対の１１端子および１２端子に対して、次の１対の２１端子および２２端子が積層されて、かつ、ハンドル１１1の回転軸の軸方向に配置されている。
【００２０】
カムスイッチ１２に対する接続は次のとおりである。入力側では、１１端子が５１端子と開閉器１１の開閉部１１Ａの２２接点および３２接点とに接続されている。２１端子が５３端子と開閉器１１の開閉部１１Ｂの５２接点および６２接点とに接続されている。３１端子が６１端子と開閉器１１の開閉部１１Ｃの８２接点および９２接点とに接続されている。４１端子が６３端子と開閉器１１の黒相用の±端子とに接続されている。７１端子が７３端子に接続され、７３端子が８１端子に接続され、８１端子が８３端子に接続されている。出力側では、１２端子が７２端子と開閉器１１の開閉部１１Ａの１４接点および２４接点とに接続されている。２２端子が７４端子と開閉器１１の開閉部１１Ｂの４４接点および５４接点とに接続されている。３２端子が８２端子と開閉器１１の開閉部１１Ｃの７４接点および８４接点とに接続されている。４２端子が８４端子と、黒相用の黒端子とに接続されている。５２端子が５４端子と６２端子と６４端子とに接続されている。
【００２１】
開閉器１１およびカムスイッチ１２に対して、図２の「電流入力」の赤相用の±端子が開閉器１１の開閉部１１Ａの１１接点および３１接点に接続され、赤端子が１３接点および３３接点に接続されている。白相用の±端子が開閉器１１の開閉部１１Ｂの４１接点および６１接点に接続され、白端子が４３接点および６３接点に接続されている。青相用の±端子が開閉器１１の開閉部１１Ｃの７１接点および９１接点に接続され、青端子が７３接点および９３接点に接続されている。先に述べたように、黒相用の±端子がカムスイッチ１２の４１端子に接続され、黒端子がカムスイッチ１２の４２端子に接続されている。図２の「電流出力」であるメータ用の±端子がカムスイッチ１２の６４端子に接続され、Ｍ端子がカムスイッチ１２の８３端子に接続されている。
【００２２】
次に、電流切替開閉器１の動作を、カムスイッチ１２の動作と共に説明する。
【００２３】
図２の「内部ＣＴ切替」のハンドル１１1を「不使用」の位置にしている場合、ハンドル１２1を「０」の位置にすると、１１端子と１２端子との間、２１端子と２２端子との間、３１端子と３２端子との間、４１端子と４２端子との間が閉路状態になる。図３では黒丸印が接点の閉路位置を示し、太線がオーバーラップを示すが、オーバーラップについては後述する。この閉路状態により、電流切替開閉器１の「赤相」の±端子は、開閉器１１の開閉部１１Ａの３１接点、３２接点、カムスイッチ１２の１１端子、１２端子、開閉部１１Ａの１４接点、１３接点を経て、電流切替開閉器１の赤端子に接続される。つまり、ハンドル１２1が「０」の位置では、電流切替開閉器１は「赤相」の±端子と赤端子との間を短絡状態にしている。同様に、ハンドル１２1が「０」の位置では、電流切替開閉器１は「白相」の±端子と白端子との間を短絡状態にし、「青相」の±端子と青端子との間を短絡状態にしている。「黒相」の±端子は、カムスイッチ１２の４１端子、４２端子を経て「黒相」の黒端子に接続される。つまり、ハンドル１２1が「０」の位置では、電流切替開閉器１は「黒相」の±端子と黒端子との間を短絡状態にしている。
【００２４】
ハンドル１２1が「０」の位置から「赤」の位置に切り替える場合、つまり相の切替をする場合、ハンドル１２1が「０」と「赤」との間にあるとき、閉路状態がオーバーラップをする。つまり、ハンドル１２1が「０」と「赤」との間にあるとき、図５に示すように、カムスイッチ１２の接点Ａ１１1、接点Ａ２１1、接点Ａ３１1、および接点Ａ４１1が閉路状態であり、かつ、接点Ａ２１2、接点Ａ３１2、接点Ａ４１2、接点Ａ５１2、および接点Ａ７１2が閉路状態である。オーバーラップについて「赤相」を例として説明する。ハンドル１２1が「０」の位置では、接点Ａ１１1により、端子１１と端子１２との間が閉路状態にある。この後、ハンドル１２1を回して「０」と「赤」の間にしたとき、接点Ａ１１1と、接点Ａ５１2および接点Ａ７１2とがオーバーラップをする。これにより、相の切替の際にハンドル１２1が「０」と「赤」の間の位置にあるときは、端子１１と端子１２との間が閉路状態になると共に、端子５１と端子５２との間および端子７１と端子７２との間が閉路状態になる。この結果、接点Ａ１１1により、図６に示すルートＲ１が形成されると同時に、図７に示すように、接点Ａ５１2により、メータ１３２の接続用端子である±端子とＭ端子とを含むルートＲ２が形成される。つまり、「赤相」の±端子と赤端子を短絡状態に保ちながら、「赤相」の±端子と赤端子にメータ１３２を接続している。この後、ハンドル１２1が「赤」の位置では、図６で形成されたルートＲ１が開路となり、図７のルートＲ２だけが閉路を形成する。この結果、「赤相」の±端子と赤端子とにメータ１３２を接続する場合、「赤相」の±端子と赤端子との間の短絡を保ちながら、「赤相」の±端子と赤端子とに対して「電流出力」の±端子とＭ端子とを接続する。この後、ハンドル１２1を「白」の位置にして「白相」の±端子と赤端子にメータ１３２を接続する場合、ハンドル１２1を「青」の位置にして「青相」の±端子と赤端子にメータ１３２を接続する場合、ハンドル１２1を「黒」の位置にして「黒相」の±端子と赤端子にメータ１３２を接続する場合も同様に、各相を短絡にしながらメータ１３２を接続する。つまり、「電流入力」と「電流出力」とは、ハンドル１２1の位置に応じて、図８に示すようになる。なお、図８では「ＳＴ」が短絡を表す。
【００２５】
ところで、ハンドル１２1を「０」の位置にした場合、開閉部１１Ａを「使用」に切り替えると、例えば開閉器１１の開閉部１１Ａでは、接点１１と接点１２との間、接点３３と接点３４の間、接点２１と接点２２との間、接点２３と接点２４との間が閉路状態になり、開閉器１１の接点３１と接点３２との間、接点１３と接点１４の間が開路状態になる（図４）。これにより、図９に示すように、補助変流器１１Ａ1の１次側１１Ａ11が接点１１および接点１２と、接点３３および接点３４とにより、「赤相」の±端子と赤端子とに接続される。また、補助変流器１１Ａ1の２次側１１Ａ12の一方は、図９に示すように、接点２１、接点２２、端子１１、端子１２、接点２４、接点２３を経て、補助変流器１１Ａ1の２次側１１Ａ12の他方に接続される。つまり、ルートＲ１１により形成された閉路により、補助変流器１１Ａ1の２次側１１Ａ12が短絡される。換言すると、開閉部１１Ａを「使用」に切り替えると、「赤相」の±端子と赤端子には補助変流器１１Ａ1の１次側１１Ａ11が接続され、開閉部１１Ａの接続点Ｐ１１Ａ1と接続点Ｐ１１Ａ2との間には、補助変流器１１Ａ1の２次側１１Ａ12が接続される。開閉部１１Ｂおよび開閉部１１Ｃは開閉部１１Ａと同様である。
【００２６】
また、ハンドル１２1を「赤」の位置にした場合、開閉部１１Ａを「使用」に切り替えると、例えば開閉器１１では、開閉部１１Ａの接続点Ｐ１１Ａ1と接続点Ｐ１１Ａ2との間には、補助変流器１１Ａ1の２次側１１Ａ12が接続される。同時に、開閉部１１Ａの接続点Ｐ１１Ａ1と接続点Ｐ１１Ａ2との間には、図１０に示すように、ルートＲ１２の閉路によりメータ１３２用の±端子とＭ端子とが接続され、赤相とメータ１３２との間に補助変流器１１Ａ1が介在することになる。開閉部１１Ｂおよび開閉部１１Ｃは、開閉部１１Ａと同様である。
【００２７】
こうして、この実施の形態の電流切替開閉器１によれば、変流器の試験および実負荷試験をする場合に測定する相を変えるときには、ハンドル１２1の位置を回すだけで、「赤」、「白」、「青」、「黒」の位置に応じて、選択された相の変流器をメータ１３２を接続すると共に、残りの相の変流器を短絡することができる。この結果、変流器の試験のための作業効率を大幅に上げることができ、従来のように試験配線の変更を不要にすることができる。また、残りの相の変流器を短絡するので、相の切替の際に高電圧発生が発生することを防ぐことができる。また、電流切替開閉器１は主に開閉器１１とカムスイッチ１２と補助変流器１１Ａ1、１１Ｂ1、１１Ｃ1とで構成されるので、電流切替開閉器１をコンパクトな収納箱に収めることができる。さらに、電流切替開閉器１が補助変流器１１Ａ1、１１Ｂ1、１１Ｃ1を装備しているので、実負荷試験時に電流測定回路が開路しても高電圧を抑制することができ、実負荷電流の試験を安全に行うことができ、多用途の使用を可能にする。
【００２８】
以上、この発明の実施の形態を詳述してきたが、具体的な構成はこの実施の形態に限られるものではなく、この発明の要旨を逸脱しない範囲の設計の変更等があっても、この発明に含まれる。たとえば、電流切替開閉器１は開閉器１１を含む回路とカムスイッチ１２を含む回路との両方を備える構成であったが、開閉器１１を含む回路を除いた構成でもよい。
【図面の簡単な説明】
【００２９】
【図１】この発明の実施の形態による電流切替開閉器の使用状態を示す接続図である。
【図２】電流切替開閉器を収納する収納箱の操作パネルを示す図である。
【図３】開閉部およびカムスイッチの回路構成を示す構成図である。
【図４】開閉部の開閉状態を説明する図である。
【図５】カムスイッチのオーバーラップを説明する図である。
【図６】カムスイッチにより形成されるルートを示す図である。
【図７】カムスイッチにより形成されるルートを示す図である。
【図８】電流入力と電流出力との関係を示す図である。
【図９】開閉器により形成されるルートを示す図である。
【図１０】開閉器により形成されるルートを示す図である。
【図１１】従来の試験配線を説明する説明図である。
【符号の説明】
【００３０】
１  電流切替開閉器
１１  開閉器（開閉手段）
１２  カムスイッチ（電流切替手段）
１１1、１２1  ハンドル
１１Ａ、１１Ｂ、１１Ｃ  開閉部
１１Ａ1、１１Ｂ1、１１Ｃ1  補助変流器
１２１  二次側試験用端子
１２２  電流プラグ
１３１  リレー盤
１３２  メータ（電流測定器）
【図１】
2007232599.tif 000003
【図２】
2007232599.tif 000004
【図３】
2007232599.tif 000005
【図４】
2007232599.tif 000006
【図５】
2007232599.tif 000007
【図６】
2007232599.tif 000008
【図７】
2007232599.tif 000009
【図８】
2007232599.tif 000010
【図９】
2007232599.tif 000011
【図１０】
2007232599.tif 000012
【図１１】
2007232599.tif 000013